(57)【要約】      （修正有）【課題】古来の知識をベースとした生活に触れ、日本独特の風土に生きる上で有用な月齢を基礎とした日めくりカレンダーを提供する。【解決手段】１年分のカレンダー用紙を束ねて止め部材により綴り止め、１枚ずつ剥がして使用する日めくりカレンダー。前記カレンダー用紙１には、中央部の月齢表示欄５に月齢図形が印刷表示され、該月齢表示欄５の右上方部に旧暦表示欄６が設けられ、前記月齢表示欄５の下方に、西暦を表示する西暦表示欄１６が設けられている。【選択図】図１
0003182312.tif 000002
【実用新案登録請求の範囲】
【請求項１】
１年分のカレンダー用紙（１）を束ねて止め部材（２）により綴り止め、１枚ずつ剥がして使用する日めくりカレンダーであって、
前記カレンダー用紙（１）には、中央部（１Ａ）に月齢表示欄（５）が設けられると共に該月齢表示欄（５）に月齢図形（４）が印刷表示され、
該月齢表示欄（５）の右上方部（１Ｂ）に旧暦表示欄（６）が設けられて旧暦（７）が印刷表示され、
前記月齢表示欄（５）の下方に、西暦（１７）を表示する西暦表示欄（１６）が設けられて西暦（１７）が印刷表示されている、
ことを特徴とする日めくりカレンダー。
【請求項２】
前記月齢表示欄（５）の左方に、こよみ解説欄（９）が設けられ、該こよみ解説欄（９）の下方に占い欄（１０）が設けられ、前記月齢表示欄（５）の右方に、九星・六曜・十干十二支欄（１１）が設けられ、且つ、前記月齢図形（４）の下方に潮汐表示欄（１２）と月齢数値欄（１３）が設けられていることを特徴とする請求項１に記載の日めくりカレンダー。
【請求項３】
前記カレンダー用紙（１）は、その上端側辺（１Ｃ）で、該カレンダー用紙（１）を貫通する貫通部材（２Ａ）を備えた前記止め部材（２）により閉じられ、前記前記カレンダー用紙（１）の前記止め部材（２）から外れた前記上端側辺（１Ａ）の両側に該短い切り込み（１４）が形成され、前記止め部材（２）により綴じられた部分を残して前記カレンダー用紙（１）が前記切り込み（１４）から千切りとることができるように構成されていることを特徴とする請求項１又は請求項２に記載の日めくりカレンダー。
【考案の詳細な説明】
【技術分野】
【０００１】  本考案は、卓上、壁掛け等の形態で用いる日めくりカレンダーに関する。
【背景技術】
【０００２】  一般に用いる日めくりカレンダーは、１年分のカレンダー用紙を束ねて止め部材により綴り止め、１枚ずつ剥がして使用する構成とされており、そこには、西暦を基準とした日付が印刷されている。
使用に際しては、殆どが１枚ずつのカレンダー用紙を剥ぎ取り、廃棄する方式が採られている。【０００３】  このような日めくりカレンダーとしては、例えば、次の技術が知られている。
【特許文献１】特開２００６−２３１８８４。
【特許文献２】実用新案登録第３０９２７７０号
【考案の開示】
【考案が解決しようとする課題】
【０００４】  上記特許文献１は、日めくり用紙を剥ぎ取っていく方式、特許文献２は、繰り返し使用できるクランプ方式のものであるが、その暦表示は、西暦とされている。
カレンダーは、本来、月、日付を知り、或いは、将来のスケジュールを留め置く手段として用いられるものであるが、明治６年以降、西洋文化の浸透と共に西暦が一般的となって普及し、今では殆どが西暦表示のカレンダーとなっている。【０００５】  しかし、暦には月、日付そのものだけでなく、特に旧暦は、日本文化独特の日々の知識が盛り込まれているものであったが、こうした知識は、西洋文化の流入によって、徐々に忘れ去られてきている。
近年、日本の風土に生きる日本人として、旧暦を見直す傾向がり、旧暦を表すカレンダーも使用されてはいるが、これは、旧暦の日付を知ることは出来るものの日付を知るという観点に立からすれば、西暦カレンダーと大差ないものである。【０００６】  旧暦は、太陰太陽暦がベースとなるものであり、その主体は、月齢にある。
即ち、嘗て、日本人は、月を見れば今日が何日か知ることができたものである。
月の満ち欠けで日付を知り、そして、太陽の通る横道を二十四等分した二十四節気で季節を感じながら生活してきました。
また、八百万の神を信じる日本独自の文化として、九星・六曜、十干十二支、或いは、二十八宿、十二直などの占いも活用してきた。こうした知見、知識を再評価する風潮が持ち上がってきており、新たな嗜好のカレンダーの要望が出てきた。【０００７】  本考案は、かかるニーズに鑑み、古来の知識をベースとした生活に触れ、日本独特の風土に生きる上で有用な月齢を基礎としたカレンダーを提供することを目的とする。
【課題を解決するための手段】
【０００８】  本考案にかかる日めくりカレンダーは、１年分のカレンダー用紙（１）を束ねて止め部材（２）により綴り止め、１枚ずつ剥がして使用する日めくりカレンダーであって、
前記カレンダー用紙（１）には、中央部（１Ａ）に月齢表示欄（５）が設けられると共に該月齢表示欄（５）に月齢図形（４）が印刷表示され、
該月齢表示欄（５）の右上方部（１Ｂ）に旧暦表示欄（６）が設けられて旧暦（７）が印刷表示され、
前記月齢表示欄（５）の下方に、西暦（５）を表示する西暦表示欄（１６）が設けられて西暦（１７）が印刷表示されている、
ことを特徴とする。
本考案の日めくりカレンダーは、壁掛け型或いは卓上型に限定されるものではない。
【考案の効果】
【０００９】  本考案の日めくりカレンダーは、１枚ずつ剥がして使用されるカレンダー用紙に月齢図形が表示されていることで、馴れてくれば今日が旧暦の何日かが分かる。また、下部をみれば、西暦の月日も確認できる。
勿論、西暦表示欄によって、馴染みの西暦を読み取ることができるので、西暦と旧暦との対比が一目で分かる。
本考案のその他の具体的な利点は、以下の説明から明らかとなろう。
【考案を実施するための最良の形態】
【００１０】  本考案の実施に際しては、前記月齢表示欄（５）の左方に、こよみ解説欄（９）が設けられ、該こよみ解説欄（９）の下方に占い欄（１０）が設けられ、前記月齢表示欄（５）の右方に、九星・六曜・十干十二支欄（１１）が設けられ、且つ、前記月齢図形（４）の下方に潮汐表示欄（１２）と月齢数値欄（１３）が設けられていることが好ましい。【００１１】  このように構成すると、こよみ解説欄（９）の情報により、旧暦の日々の謂われを知識として習得すると共に故人の知識を生活に活かすこともできる。
また、古来の九星・六曜・十干十二支欄（１１）により、これを見ることにより、占いとは言え、新たな感覚をもって日々の生活を送ることもできる。
更に、潮汐表示欄（１２）と月齢数値欄（１３）は、釣り人に役立つと共に月齢を数字で表すことで、一般には紛らわしい上弦の月、下弦の月の月齢図形（４）による日付把握だけでなく、数値表示によって確実に把握できるようになる。【００１２】  そして、前記カレンダー用紙（１）は、その上端側辺（１Ｃ）で、該カレンダー用紙（１）を貫通する貫通部材（２Ａ）を備えた前記止め部材（２）により閉じられ、前記前記カレンダー用紙（１）の前記止め部材（２）から外れた前記上端側辺（１Ｃ）の両側に該短い切り込み（１４）が形成され、前記止め部材（２）により綴じられた部分を残して前記カレンダー用紙（１）が前記切り込み（１４）から千切りとることができるように構成されていることが好ましい。【００１３】  このように構成することで、カレンダー用紙（１）を確実に綴り止めしながら、短い切り込み（１４）によって、前記止め部材（２）によって綴られた部分を残した状態で引き千切り易くなり、全体が引き千切られることで前記止め部材（２）により止められている残りのカレンダー用紙（１）が抜け落ちるという虞も未然に回避できる。
【図面の簡単な説明】
【００１４】
【図１】本考案にかかる日めくりカレンダーの剥ぎ取られた一枚の正面図。
【図２】本考案にかかる日めくりカレンダーの全体の斜視図。
【図３】本考案にかかる日めくりカレンダーの要部の背面斜視図。
【図４】本考案にかかる図２のＡ−Ａ線矢視断面図。
【図５】本考案にかかる別態様の日めくりカレンダーの全体の斜視図。
【図６】本考案にかかる日めくりカレンダーの要部の背面斜視図。
【図７】本考案にかかる図５のＢ−Ｂ線矢視断面図。
【実施例】
【００１５】  本考案にかかる日めくりカレンダーは、図１乃至図３に示すように、１年分のカレンダー用紙１（約１９０ｍｍＸ２４０ｍｍ）を束ねて止め部材２により綴り止め、１枚ずつ剥がして使用する日めくりカレンダーであり、前記カレンダー用紙１には、中央部１Ａに月齢表示欄５が設けられると共に該月齢表示欄５に月齢図形４が印刷表示されている。【００１６】  前記月齢図形４は、新月と満月の間の月の満ち欠けを表すものであり、通常、上空に見える月の状態を表しており、また、一般に汎用される表現方法のものである。この表示方法については、実施例では円形に黒白で表示しているが、それ以外に適宜の有色をもって使い分けしても差し支えない。【００１７】  更に、上記月齢表示欄５の右上方部１Ｂに旧暦表示欄６が設けられて旧暦７が印刷表示され、また、前記月齢表示欄５の下方に、西暦を表示する西暦表示欄１６が設けられて西暦１７が印刷表示されている。
前記旧暦表示欄６は、例えば、図示の如く、平成２５年の暦として、その１月１日は、旧暦の１１月で、霜月の廿、即ち、２０日を示す。そして、下方の西暦表示欄１６は、２０１３年１月１日、火曜日であることを西暦１７が示されている。尚、図１における１８は、メモ用空白欄である。【００１８】  そして、前記月齢表示欄５の左方に、こよみ解説欄９が設けられ、該こよみ解説欄９の下方に占い欄１０が設けられ、前記月齢表示欄５の右方に、九星・六曜・十干十二支欄１１が設けられ、且つ、前記月齢図形４の下方に潮汐表示欄１２と月齢数値欄１３が設けられている。【００１９】  前記こよみ解説欄９により、旧暦の日々の謂れ、ここでは、「元日」の意味が説明され、旧暦の意味を理解することができ、元日のように誰にも知られている謂れでなく、他に、一般に知られていない月日、例えば、１月５日の「小寒」は、二十四節気からの引用で、寒についての説明を行っており、こうした旧暦にまつわる故事を知ることができる。また、十二直から「たいら」、二十八宿から「尾」が引用され、解説されている。【００２０】  そして、図３に示すように、前記カレンダー用紙１は、その上端側辺１Ｃで、該カレンダー用紙１を貫通する貫通部材２Ａを備えた前記止め部材２により閉じられ、前記前記カレンダー用紙１の前記止め部材２から外れた前記上端側辺１Ａの両側に該短い切り込み１４が形成され、前記止め部材２により綴じられた部分を残して前記カレンダー用紙１が前記切り込み１４から千切りとることができるように構成されている。図１における１９は、吊り金具と吊り紐からなる掛け具を示す。【００２１】  前記止め部材２は、非常に薄い鋼板をコの字形に折り曲げて構成されており、そのコの字形の空間に、１年分のカレンダー用紙１が束ねられた状態で挟持される。そして、ここでは、２個の貫通部材２Ａである鋲を、前記止め部材２の表側部２Ｂに形成した孔１５Ａとカレンダー用紙１の束とを貫通させ、そして、その裏側部２Ｃの孔１５Ｂを貫通させて、その突出した貫通部材２Ａの先端部分を折り曲げて止め付けている。【００２２】  この実施例でのカレンダー用紙１は、更に、前記切り込み１４を、両側部だけでなく、中央の２箇所にも形成してあり、引き千切り易くしている。図１に示すように、カレンダー用紙１は、３箇所の短い部分１ａを千切るだけでよいことになる。しかし、こうした切り込み１４は、何箇所とするか、或いは、所謂ミシン目のような切込みとするか、適宜選択して良い。【００２３】  図５乃至図７は、別態様の小型の日めくりカレンダー（約８０ｍｍＸ１１５ｍｍ）を示す。ここでは、カレンダー用紙１は、止め部材２２により束ねた状態で止め付けられる方式は同じであるが、その止め部材２２が同様の薄い鋼板をコの字に曲げて構成するところの構造の一部が異なる。【００２４】  前記止め部材２２は、裏面において、中央両側に係止用突片２２ａが打ち抜きにより形成されており、これを折り曲げることで、壁等に食い込ませ、係止するように構成されている。そして、裏面側から、Ｕ字形の針金２２ｃが前記止め部材２２を貫通して、前記カレンダー用紙１の束に打ち込まれている。【００２５】  更に、前記止め部材２２の左右端２２ａ��、内側に折り込まれ、前記カレンダー用紙１の両側上部に形成された切り込み部１ｂに食い込み、且つ、その一部２２ｂが前後方向に折り曲げられて、前記カレンダー用紙１の両側上部を保持するように構成されている。従って、前記切り込み部１ｂが、引き千切り時の切り離しを助長する役目を果たし、カレンダー用紙１が引き千切られると、前述の保持された部分は、前記止め部材２２の側に残ることになる。
【産業上の利用可能性】
【００２６】  本考案は、卓上型、壁掛け型を問わず、所望の使用態様において、日付の機能のみならず、月齢を基準とする旧暦に基づく生活リズム、知識を得ることができるもので、その利用範囲は広い。
【符号の説明】
【００２７】１：カレンダー用紙
１Ａ：中央部
１Ｃ：右上方部
２：止め部材
２Ａ：貫通部材
４：月齢図形
５：月齢表示欄
６：旧暦表示欄
７：旧暦
９：こよみ解説欄
１０：占い欄
１１：九星・六曜・十干十二支欄
１２：潮汐表示欄
１４：切り込み
１６：西暦表示欄
１７：西暦
【図１】
0003182312.tif 000003
【図２】
0003182312.tif 000004
【図３】
0003182312.tif 000005
【図４】
0003182312.tif 000006
【図５】
0003182312.tif 000007
【図６】
0003182312.tif 000008
【図７】
0003182312.tif 000009